(57)【要約】【課題】  液体等を搬送するための袋状タンクを車両の荷台等へ固定するための固縛装置を提供する。【解決手段】  固縛装置３００は柔軟なロープ等でつくられる立体ネット構造体３１０と補強ロープ３２０を有し、内部に収容した袋状タンクの給排口５２が貫通する開口部３３０を備える。固縛装置３００は、それ自体では自立せず、内部の袋状タンクに内容物を充填したときに、袋状タンクの形状に対応する立体を形成する袋状タンクの出し入れ用の開口部はファスナ３５０で開閉され、緊迫用のロープの吊り具３６０が設けられる。【選択図】        図８
2007030742.tif 000002
【特許請求の範囲】
【請求項１】
搬送具に対して袋状タンクを固縛する装置において、
袋状タンクを内部に納めて袋状タンクを固縛する立体ネット構造体を備え、該立体ネット構造体は袋状タンクに内容物を充填したときに該袋状タンクの形状を規制する立体形状を構成することを特徴とする袋状タンク固縛装置。
【請求項２】
立体ネット構造体は、立体ネット構造体の少なくとも立方体の各辺に配置される補強ロープを備える請求項１記載の袋状タンク固縛装置。
【請求項３】
立体ネット構造体は、袋状タンクを出し入れするために開口部を備える請求項１記載の袋状タンク固縛装置。
【請求項４】
前記開口部を開閉する手段を備える請求項３記載の袋状タンク固縛装置。
【請求項５】
立体ネット構造体は、袋状タンクを搬送具に固定するための固定具の取付け部位を備える請求項１乃至４のいずれかに記載の袋状タンク固縛装置。
【請求項６】
立体ネット構造体は、収納した袋状タンクの給排口に対応する部位のネットに給排口が貫通する開口部を備える請求項１乃至５のいずれかに記載の袋状タンク固縛装置。
【請求項７】
立体ネット構造体は、その下部に配設されて立体ネット構造体に係止される深鉢状のシート部材を備える請求項１乃至６のいずれかに記載の袋状タンク固縛装置。
【請求項８】
立体ネット構造体と搬送具の搬送面の間に配設される保護材を備える請求項１乃至７のいずれかに記載の袋状タンク固縛装置。
【発明の詳細な説明】
【技術分野】
【０００１】
本発明は、トラック等の輸送装置における液体運送に用いられる折りたたみ可能な袋状のタンクを台車に固定する固縛装置に関する。
【背景技術】
【０００２】
トラックなどの車両によって液体を運送する際には、専用の金属製のタンクを備えたタンクローリー車を使用することが一般的である。
しかしながら、タンクローリー車では、液体の運送に限定され、復路は空車で運行される等の効率が悪い問題がある。
そこで、下記の特許文献は、液体搬送と液体以外の荷物に対応できる技術を開示している。
【特許文献１】特許第３０７４３３７号公報
【特許文献２】特開２０００−８５８８３号公報
【発明の開示】
【発明が解決しようとする課題】
【０００３】
しかしながら、上述した特許文献１に記載されたものは、コンテナを必要とし、また、特許文献２のものは、専用構造を要するトラックである。
本発明は通常のトラックで安全かつ簡便に利用することができる袋状タンク（ソフトタンク）の固縛装置を提供するものである。
【課題を解決するための手段】
【０００４】
本発明の袋状タンクの固縛装置は、袋状タンクを内部に納めて袋状タンクを固縛する立体ネット構造体を備え、該立体ネット構造体は袋状タンクに内容物を充填したときに該袋状タンクの形状を規制する立体形状を構成するものである。
【０００５】
立体ネットに構造体は、立体ネット構造体の少なくとも立方体の各辺に配置される補強ロープを備え、また、袋状タンクを出し入れするために開口部を備える。
そして、立体ネット構造体は、袋状タンクを搬送具に固定するための固定具の取付け部位を備え、収納した袋状タンクの給排口に対応する部位のネットに給排口が貫通する開口部を備えるものである。
【０００６】
さらに、立体ネット構造体は、その下部に配設されて立体ネット構造体に係止される深鉢状のシート部材を備え、立体ネット構造体と搬送具の搬送面の間に配設される保護材を備えることもできる。
【発明の効果】
【０００７】
本発明によれば、液体を輸送する柔質な材料でつくられる袋状タンクを確実に固縛することができる。
【発明を実施するための最良の形態】
【０００８】
図１，図２は、本発明を実施する車両の説明図である。
トラック等の車両１は荷台２を有し、荷台２上にソフトタンクと称される袋状のタンク５が載置され、固縛装置１０で固定される
袋状タンク５は、液体を収容しないときには、折りたたむことができる軟質の材料でつくられる。
【０００９】
図３は、本発明の固縛装置の基本的な構造を示す説明図である。
全体を符号１００で示す固縛装置は、袋状タンクを内部に納めるネット構造体１１０を有する。ネット構造体１１０は、柔軟で強度の高いワイヤー、ロープ等で構成され、必要に応じて縁部を補強ロープ１２０で補強することができる。
このネット構造体１１０は、単体では自立することはできず、内部に袋状タンクを収納し、袋状タンクに空気や液体を充填して袋状タンクを膨張させたときに、袋状タンクの形状に応じた立体形状を形成する。
そこで、ネット構造体１１０の短辺側の側面１１０ａの中央に袋状タンクの給排口が貫通する開口部１３０が設けてある。
【００１０】
図４は、袋状タンクを出し入れするための開口部を有する固縛装置の例を示す。
固縛装置２００は、ネット構造体２１０を有し、短辺側の側面２１０ａに袋状タンクの給排口が貫通する開口部２３０を備える。ネット構造体２１０の上面２１０ｂの中央部には、長手方向に沿って開口部２４０が形成される。
この開口部２４０の周囲は補強ロープ２２０で補強され、後述するリング部材が設けられる。
【００１１】
図５は、本発明の固縛装置の他の例を示す。
固縛装置３００は、ネット構造体３１０と補強ロープ３２０と、袋状タンクの給排口が貫通する開口部３３０を有する。そして、ネット構造体の上面に設けられる開口部３４０を開閉するファスナ３５０が取付けられる。
【００１２】
次に、図６、図７を用いて固縛装置３００に袋状タンク５を収容する工程を説明する。固縛装置３００は、袋状タンクを収容しない状態では自立せず、図６に示すような状態に折り畳まれている。
【００１３】
図７は、袋状タンク５を折り畳む手順を示す。袋状タンク５は、ゴム等の柔軟性のある材料でつくられるタンク本体５０と、タンク本体５０に空気や液体を出し入れするための給排口５２を備える。
タンク本体５０内の充填物を排出させると、タンク本体５０を図の（ｂ）に示すように折り畳むことができる。折り畳まれたタンク本体５０は、図の（ｃ）に示しように、折り曲げることも可能となる。
【００１４】
袋状タンク５の柔軟性を利用して、図６に示す折り畳まれた固縛装置３００の開口部３４０からタンク本体５０を固縛装置３００のネット構造体３１０内に差し入れる。
【００１５】
図８に示すように、袋状タンク本体を収納した固縛装置３００のファスナ３５０を閉じ、給排口５２からタンク内に充填物を注入すると、タンク本体５０は膨張し、固縛装置３００も膨張してタンク本体の内圧を受けて、立体形状となる。
ファスナ３５０の両側の補強ロープ３２０には、リング部材３６０が設けられる。このリング部材３６０は、補強ロープ３２０と同じ材料でつくることもできる。
【００１６】
図９は、ファスナ３６０の両側に設けたリング部材３６０を利用した緊迫用ロープのかけ方を示す。
緊迫用ロープ４００は、ファスナ３５０を越えた側のリング部材３６０に結ばれ、内部の袋状タンクを緊迫するとともに、ファスナ３５０にかかる応力を緩和する。
緊迫用ロープ４００の他端は図示しない荷締器及びラッシングベルト等で荷台２に係止される。
【００１７】
図１０は、固縛装置に設ける補強ロープの配置の例を示す説明図である。
固縛装置５００は、ネット構造体５１０と補強ロープ５２０及び袋状タンクの給排口が貫通する開口部５３０を有する。
補強ロープ５４０は、ネット補強体５１０の各辺の対角方向を連結するように配置される。
【００１８】
図１１は、固縛装置６００をトラックの荷台２上に固定する手段を示す。
固縛装置６００のネット構造体６１０の下面の補強ロープ６２０の四隅から延長ロープ６６０を延ばし、リング６７０を介して図示しない荷締器に連結されるラッシングベルト６８０を利用して固縛装置６００を荷台２上に固定する。
【００１９】
図１２は、固縛装置７００をトラックの荷台２上に固定する他の手段を示す。
固縛装置７００のネット構造体７１０の上面の補強ロープ７２０の四隅から延長ロープ７６０を延ばし、リング７７０を介して図示しない荷締器に連結されるラッシングベルト７８０を利用して固縛装置７００を荷台２上に固定する。
【００２０】
以上のように、本発明の袋状タンク固縛装置は、液体等を収納した柔軟性を有する袋状タンクを荷台等の搬送具に対して確実かつ容易に固縛することができる。
袋状タンクが損傷したときに備えて立体ネット構造体の下面に着脱自在に深鉢状のシート部材を配設することができる。
また、立体ネット構造体と搬送具の搬送面の間に保護材を備えることもできる。
【図面の簡単な説明】
【００２１】
【図１】本発明を実施する車両の説明図。
【図２】本発明を実施する車両の説明図。
【図３】本発明の固縛装置の基本的な構造を示す説明図。
【図４】本発明の固縛装置の他の例を示す説明図。
【図５】本発明の固縛装置の他の例を示す説明図。
【図６】固縛装置に袋状タンクを収容する工程を示す説明図。
【図７】固縛装置に袋状タンクを収容する工程を示す説明図。
【図８】固縛装置の立体形状を示す説明図。
【図９】緊迫用ロープのかけ方を示す説明図。
【図１０】補強用ロープの配置を示す説明図。
【図１１】固縛装置を荷台上に固定する手段を示す説明図。
【図１２】固縛装置を荷台上に固定する手段を示す説明図。
【符号の説明】
【００２２】
１  車両
２  荷台
５  袋状タンク
１０  袋状タンク固縛装置
５０  袋状タンク本体
５２  給排口
１００  袋状タンク固縛装置
１１０  ネット構造体
１２０  補強ロープ
１３０  袋状タンクの給排口貫通用開口部
２００  袋状タンク固縛装置
２１０  立体ネット構造体
２２０  補強ロープ
２３０  袋状タンクの給排口貫通用開口部
２４０  袋状タンク出し入れ用開口部
３００  袋状タンク固縛装置
３１０  立体ネット構造体
３２０  補強ロープ
３３０  袋状タンクの給排口貫通用開口部
３４０  袋状タンク出し入れ用開口部
３５０  ファスナ
【図１】
2007030742.tif 000003
【図２】
2007030742.tif 000004
【図３】
2007030742.tif 000005
【図４】
2007030742.tif 000006
【図５】
2007030742.tif 000007
【図６】
2007030742.tif 000008
【図７】
2007030742.tif 000009
【図８】
2007030742.tif 000010
【図９】
2007030742.tif 000011
【図１０】
2007030742.tif 000012
【図１１】
2007030742.tif 000013
【図１２】
2007030742.tif 000014